(57)【要約】【課題】磁気共鳴イメージング装置を用いた撮影に影響する電磁シールド性を良好にした磁気共鳴イメージング装置用の電磁シールド構造を提供すること。【解決手段】磁気共鳴イメージング装置１００を含む空間を電磁シールドするための電磁シールド構造２００は、門形状の複数のフレーム２２１が内側に連続した空間を形成するフレーム集合体２２０と、複数のフレーム２２１に取り付けられ、可撓性及び透光性を有するシート状の電磁シールド部材２５０と、を備えている。複数のフレーム２２１は、床面３１０に設けられた導電性床材３２０との間に、この導電性床材３２０に当接する導電性部材２２８を介在している。【選択図】図１４
2013004821.tif 000002
【特許請求の範囲】
【請求項１】
磁気共鳴イメージング装置を含む空間を電磁シールドするための磁気共鳴イメージング装置用の電磁シールド構造であって、
門形状の複数のフレームが内側に連続した空間を形成するように水平方向に並んで配置されると共に伸縮可能に連結されたフレーム集合体と、
前記複数のフレームに取り付けられ、可撓性及び透光性を有するシート状の電磁シールド部材と、を備え、
前記複数のフレームは、床面に設けられた導電性床材との間に、当該導電性床材に当接する導電性部材が介在されていることを特徴とする磁気共鳴イメージング装置用の電磁シールド構造。
【請求項２】
前記導電性部材は、弾性部材からなることを特徴とする請求項１に記載の磁気共鳴イメージング装置用の電磁シールド構造。
【請求項３】
前記導電性部材は、前記複数のフレームの下方に設置されると共に、前記複数のフレームに導通した状態に設置された導電性のカバー内に収納されていることを特徴とする請求項１または請求項２に記載の磁気共鳴イメージング装置用の電磁シールド構造。
【請求項４】
前記複数のフレームの内側面の下端部には、前記複数のフレームの内側に配置された電磁シールド部材の下端部が、前記複数のフレームの内側面よりも外側方向へ移動するのを規制する巻込み防止機構が設置されていることを特徴とする請求項１ないし請求項３のいずれか一項に記載の磁気共鳴イメージング装置用の電磁シールド構造。
【請求項５】
巻込み防止機構は、前記複数のフレームの内側面の下端部から前記導電性部材の内側面側に亘って配置された巻込み防止板を備え、
前記巻込み防止板は、上下方向に調整可能に前記複数のフレームに設けられていることを特徴とする請求項４に記載の磁気共鳴イメージング装置用の電磁シールド構造。
【発明の詳細な説明】
【技術分野】
【０００１】
本発明は、磁気共鳴イメージング装置を含む空間を電磁シールドするための磁気共鳴イメージング装置用の電磁シールド構造に関する。
【背景技術】
【０００２】
磁気共鳴イメージング装置（以下、「ＭＲＩ装置」ともいう）を手術室内に置き、ＭＲＩ装置を用いた撮影（以下、「ＭＲＩ撮影」ともいう）を行いながら手術や治療等を行うという、術中ＭＲＩ診断が知られている。例えば、頭部の腫瘍摘出手術等の手術においては、頭部定位固定具によって頭部を固定し、腫瘍の摘出手術等を行いながら、手術の進行や腫瘍の摘出状況を確認するために、術中ＭＲＩ撮影が適宜行われる。
【０００３】
通常、ＭＲＩ撮影を行う場所は、電磁波を遮蔽するために、手術室全体をシールド工事するような大掛かりな工事と、大きな装置を入れるのに広い手術室が必要となる。したがって、術中ＭＲＩ撮影を行う場合には、広い手術室にシールド工事を施してＭＲＩ装置を設置するか、ＭＲＩ室を別途用意する必要があり、狭い手術室等にはＭＲＩ装置を設置することが困難であった。
【０００４】
そこで、ＭＲＩ撮影を行う時のみ、ＭＲＩ装置と、当該ＭＲＩ装置で診断される患者が横たわるベッドとを収容可能であって、垂直方向に折り畳み可能な蛇腹状の電磁波シールドカーテンと、この電磁波シールドカーテンを開閉するカーテン開閉手段と、平面視して矩形の電磁波シールドカーテンの下端部周縁に設けられて床面の電磁遮蔽材と電気的に接続された導電性のカーテン当接部材と、このカーテン当接部材と密着可能な形状に形成されて床面に敷設された導電性の床面当接部材と、を備え、ＭＲＩ装置から発生する電磁波が漏洩するのを阻止する電磁シールド装置が提案されている（例えば、特許文献１参照）。このような電磁シールド構造は、狭い手術室にも設置でき、これにより術中ＭＲＩ撮影が簡易な構成で実現可能となる。
【０００５】
前記特許文献１の電磁シールド装置では、床面側のカーテン当接部材の下方に電磁石からなる下部シールド間隙解消手段を設けて、電磁波シールドカーテンの下端部の床面当接部材を磁気的に吸引してカーテン当接部材に密着させて、カーテン当接部材と床面当接部材との間に生じる撓み等を抑えて、電磁波シールドカーテンの下端部と床面側のカーテン当接部材との間の電気的な接続の信頼性を向上させている。
【０００６】
その他、可動カーテンのカーテン本体に、床面上のロア部材に接触する接触帯部を設け、カーテン本体下縁からその接触帯部にかけて形成した扁平筒状袋に可動ウエイトを収容して、ロア部材と可動カーテンとの間の隙間の発生を防止して、所定の空間を仕切る間仕切り構造の電磁波シールド性能を向上させた電磁波シールド間仕切り構造が知られている（例えば、特許文献２参照）。
【先行技術文献】
【特許文献】
【０００７】
【特許文献１】特開２００７−２０８２１４号公報
【特許文献２】特開２００６−１１８２６０号公報
【発明の概要】
【発明が解決しようとする課題】
【０００８】
しかしながら、特許文献１に記載の電磁シールド装置は、電磁石からなる下部シールド間隙解消手段によって電磁波シールドカーテンの下端部を磁気的に床面の床面当接部材に吸着しているため、ＭＲＩ装置の画像に影響を及ぼす可能性があった。また、画像に影響を及ぼさないためには、ＭＲＩ装置と電磁石との距離を離す必要があるため、電磁波シールドカーテンの囲う面積が広く必要になるという問題点が有った。
【０００９】
また、特許文献２に記載の電磁波シールド間仕切り構造は、可動カーテンの下縁部に錘としての可動ウエイトを設けた場合、可動カーテンが移動したときに、床面の段差や凹凸等によって上下動するため、可動カーテンと床面とを確実に接触させることが困難であった。また、可動カーテンが上下動した際には、床面と床面に摺接する部材との摩擦によってカーテンが磨耗するため、磨耗性や耐久性が問題となっている。
【００１０】
このような床面と可動カーテンとの間に、接触不良が生じると、電磁波シールド性能が低下するので、良好な画像が得られないと言う問題があった。
【００１１】
本発明は、このような事情に鑑みてなされたものであり、磁気共鳴イメージング装置を用いた撮影に影響する電磁シールド性を良好にした磁気共鳴イメージング装置用の電磁シールド構造を提供することを目的とする。
【課題を解決するための手段】
【００１２】
前記目的を達成するために、本発明に係る磁気共鳴イメージング装置用の電磁シールド構造は、磁気共鳴イメージング装置を含む空間を電磁シールドするための磁気共鳴イメージング装置用の電磁シールド構造であって、門形状の複数のフレームが内側に連続した空間を形成するように水平方向に並んで配置されると共に伸縮可能に連結されたフレーム集合体と、前記複数のフレームに取り付けられ、可撓性及び透光性を有するシート状の電磁シールド部材と、を備え、前記複数のフレームは、床面に設けられた導電性床材との間に、当該導電性床材に当接する導電性部材が介在されていることを特徴とする。
【００１３】
かかる構成によれば、磁気共鳴イメージング装置を用いた撮影を行うために術者等の操作者がフレーム集合体を伸縮させる際には、フレーム集合体はほぼ真直ぐに伸縮する。そのフレーム集合体を伸縮させた際、複数のフレームは、床面に設けられた導電性床材との間に、この導電性床材に当接する導電性部材を介在していることによって、導電性床材が導電性床材上を摺接しながら移動する。このため、フレームと床面上の導電性床材との電気的接続は、フレーム集合体が移動しても常に接続されたアースの状態を維持することができるので、従来のシールドカーテンのみで床面に電気的に接続していた場合と比較して、電気的接続の安定性及び電磁シールド性を向上させることができる。
【００１４】
また、前記導電性部材は、弾性部材からなることが好ましい。
【００１５】
かかる構成によれば、導電性部材は、弾性部材からなることによってばね性を備えているため、フレームの伸縮に伴って導電性床材を摺動した際に、その導電性床材の上面が凸凹状や段差状になっていたとしても、その段差をばね性で吸収して、導電性床材と導電性部材との電気的な接続状態、及び、電磁シールド性を常に維持することができる。
【００１６】
また、前記導電性部材は、前記複数のフレームの下方に設置されると共に、前記複数のフレームに導通した状態に設置された導電性のカバー内に収納されていることが好ましい。
【００１７】
かかる構成によれば、導電性部材は、複数のフレームの下方に設置されると共に、複数のフレームに導通した状態に設置された導電性のカバー内に収納されていることによって、フレームが伸縮して移動した際にも、フレームの下方部位から離脱するのが抑制される。
【００１８】
また、前記複数のフレームの内側面の下端部には、前記複数のフレームの内側に配置された電磁シールド部材の下端部が、前記複数のフレームの内側面よりも外側方向へ移動するのを規制する巻込み防止機構が設置されていることが好ましい。
【００１９】
かかる構成によれば、電磁シールド部材の下端部が、複数のフレームの内側面よりも外側方向へ移動するのを規制する巻込み防止機構が設置されていることによって、電磁シールド部材が導電性部材と導電性床材との間に入り込んで導通不良を起こしたり、伸縮移動するフレームの移動を邪魔したりするのを防止することができる。
【００２０】
また、巻込み防止機構は、前記複数のフレームの内側面の下端部から前記導電性部材の内側面側に亘って配置された巻込み防止板を備え、前記巻込み防止板は、上下方向に調整可能に前記複数のフレームに設けられていることが好ましい。
【００２１】
かかる構成によれば、前記巻込み防止板は、上下方向に調整可能に前記複数のフレームに設けられていることによって、床面の導電性床材の上面が傾いていたり、窪みや膨らんだ部位があった場合、その導電性床材の上面の形状に合わせて、巻込み防止板の高さを位置調整することができる。
【発明の効果】
【００２２】
本発明によれば、磁気共鳴イメージング装置を用いた撮影に支障をきたす電磁シールド性を向上させて良好な画像が得られる磁気共鳴イメージング装置用の電磁シールド構造を提供することができる。その結果、手術室に高価なシールド工事を不要にすることができる。また、門形状で伸縮可能に連結されたフレーム集合体と、このフレーム集合体の内側に取り付けられた電磁シールド部材とは、伸縮移動させることができることによって、磁気共鳴イメージング装置以外に多目的手術室、あるいは、検査室として使用することが可能である。また、電磁シールド部材は、可撓性及び透光性を有するシート状の部材からなるので、磁気共鳴イメージング装置で撮影中に電磁シールド部材の外側からその内部にいる患者を視認することができる。
【図面の簡単な説明】
【００２３】
【図１】本発明の一実施形態に係る磁気共鳴イメージング装置用の電磁シールド構造が適用された手術室の一例を示す外観図である。
【図２】電磁シールド構造の伸展状態を示す図であり、（ａ）は平面図、（ｂ）は側面図である。
【図３】電磁シールド構造の収縮（折畳み）状態を示す図であり、（ａ）は平面図、（ｂ）は側面図である。
【図４】電磁シールド構造の正面図であり、（ａ）は前面シールドカーテンで前面を覆った状態を示し、（ｂ）は前面シールドカーテンを外した状態を示す。
【図５】トンネル状シールドカーテンの概略斜視図である。
【図６】トンネル状シールドカーテンの下側端部の構造を示す図であり、（ａ）は要部拡大概略、（ｂ）は（ａ）のＡ−Ａ線に沿う断面図である。
【図７】電磁シールド体の概略斜視図である。
【図８】フレーム集合体に取り付けられた蛇行抑制機構の伸展状態を示す図であり、（ａ）は平面図、（ｂ）は側面図である。
【図９】フレーム集合体に取り付けられた蛇行抑制機構の収縮状態を示す図であり、（ａ）は平面図、（ｂ）は側面図である。
【図１０】蛇行抑制機構のアームの固定方法を説明するための平面図であり、（ａ）はアームが固定板を介して固定された状態を示す平面図、（ｂ）は固定板の平面図である。
【図１１】アームがガードローラに移動可能に係合される様子を示す図であり、（ａ）は（ｂ）のＢ−Ｂ線に沿う横断面図、（ｂ）は（ａ）のＣ−Ｃ線に沿う縦断面図である。
【図１２】フレーム集合体に取り付けられた巻込み防止機構のフレーム内側から見た側面図であり、（ａ）は伸展状態を示し、（ｂ）は収縮状態を示す。
【図１３】巻込み防止機構及び導電性部材の設置状態を示す拡大図であり、（ａ）は図１２（ａ）のＤ部の拡大図、（ｂ）は（ａ）のＦ方向（後方）から見た図、（ｃ）は（ａ）の上から見た図、（ｄ）は図１２（ａ）のＥ−Ｅ線に沿う断面図である。
【図１４】フレームに取り付けられた巻込み防止板及び導電性部材の設置状態を示す図であり、（ａ）は後方から見た図、（ｂ）は導電性部材の斜視図、（ｃ）は中央側巻込み防止板の側面図、（ｄ）は端部側巻込み防止板の側面図である。
【図１５】筒状シールド部材の概略斜視図であり、（ａ）は本実施形態を示し、（ｂ）は変形例を示す。
【図１６】筒状シールド部材の使用方法を説明するための図であり、（ａ）は筒状シールド部材を使用する前の最前方側のフレームの開放面を部分的に示す概略斜視図、（ｂ）は筒状シールド部材の使用状態を示す概略斜視図である。
【図１７】筒状シールド部材を支持する第２フックの一例を示す図であり、（ａ）は、第２フックの設置状態を示すフレームの斜視図、（ｂ）はフレームから第２フックを引出したときの状態を示す斜視図、（ｃ）は筒状シールド部材を第２フックで支持しているときの状態を示す斜視図である。
【図１８】電磁シールド構造における第１プランジャ機構の設置場所を説明するための側面図である。
【図１９】第１プランジャ機構の詳細を示す一部を切り欠いた拡大図であり、（ａ）は側面図、（ｂ）は（ａ）のＧ−Ｇ線に沿う断面図である。
【図２０】フレームに取り付けられた巻込み防止板及び導電性部材の第１変形例を示す図であり、（ａ）は後方から見た図、（ｂ）は中央側巻込み防止板の側面図である。
【図２１】（ａ）は導電性部材の第２変形例を示す要部拡大概略断面図であり、（ｂ）は導電性部材のその他の変形例を示す要部拡大概略断面図である。
【図２２】フレームに取り付けられた巻込み防止板及び導電性部材の第３変形例を示す図であり、（ａ）は後方から見た図、（ｂ）は端部側巻込み防止板の側面図である。
【発明を実施するための形態】
【００２４】
以下、本発明の実施形態について、適宜図面を参照しながら詳細に説明する。
図１に示すように、磁気共鳴イメージング装置（ＭＲＩ装置）１００と、ＭＲＩ装置用の電磁シールド構造２００とが、例えば脳外科等の手術を行う手術室３００に設置されている。ＭＲＩ装置１００は、所定の静磁場下に置かれた患者（被検者）の被撮像部位に、所定のパルスシーケンスでＲＦパルス、傾斜磁場を印加し、これによって発生したエコー信号を収集後処理して磁気共鳴画像を得るものである。
【００２５】
図１に示すＭＲＩ装置１００は、ここでは、側面視でコの字状に形成されたオープン型のＭＲＩ装置である。このＭＲＩ装置１００は、患者の頭部等の被撮像部位が挿入されるガントリー開口部１２０が形成された本体部１１０を備えており、本体部１１０には、ガントリー開口部１２０を挟んで上下に対向する部位にそれぞれ磁石（図示せず）が設けられている。
【００２６】
手術室３００の床面３１０上におけるＭＲＩ装置１００を含む所定の領域に、例えば、電磁波の反射損失が大きい銅合金板、非磁性ステンレス鋼板等の非磁性体の導電材料からなる導電性床板３２０が電磁シールド体２１０の下面から前方向に亘って延びて敷設されている。ＭＲＩ撮影を行う場合には、患者を載せた手術台兼用のベッド（図示せず）が導電性床板３２０の長手方向（前後方向）に沿うように導電性床板３２０上に移動させられる。
【００２７】
手術室３００の壁３３０の内側が一部掘り込まれて凹部３３１が形成されており、この凹部３３１内には、ノイズフィルタ（図示せず）を有するフィルタボックス３３２が配置されている。フィルタボックス３３２は、ＭＲＩ装置１００の背面側に設けられており、外部からの電源や信号用のケーブル類は、フィルタボックス３３２を介してＭＲＩ装置１００と接続される。なお、手術室３００内におけるＭＲＩ装置１００の設置位置は、壁際に限定されるものではなく、壁３３０から離間した位置であってもよい。
【００２８】
電磁シールド構造２００は、ＭＲＩ装置１００を含む所定の撮影空間を、電磁波から遮蔽（電磁シールド）するものである。この電磁シールド構造２００は、ＭＲＩ撮影を行うときに、後記するフレーム集合体２２０が導電性床板３２０上に伸展させられることによってＭＲＩ装置１００とＭＲＩ撮影される患者が横たわるベッド（図示せず）とを収容可能となるように、全体としてベッドの長さ方向（前後方向）へ伸展状態とされる。なお、図１では、説明の都合上、電磁シールド部材２５０（図２参照）は、図示省略している。
【００２９】
図２は、電磁シールド構造の伸展状態を示す図であり、（ａ）は平面図、（ｂ）は側面図である。図３は、電磁シールド構造の収縮（折畳み）状態を示す図であり、（ａ）は平面図、（ｂ）は側面図である。図４は、電磁シールド構造の正面図であり、（ａ）は前面シールドカーテンで前面を覆った状態を示し、（ｂ）は前面シールドカーテンを外した状態を示す。
【００３０】
図２〜図４に示すように、電磁シールド構造２００は、ＭＲＩ装置１００を覆い、開口部２１０ａ（図１参照）を有する電磁シールド体２１０と、門形状の複数のフレーム２２１が内側に連続した空間２２２（図４（ｂ）参照）を形成するように水平方向に並んで配置されると共に、前後方向に伸縮可能にＸ字状連結機構２３０により連結され、収縮時に電磁シールド体２１０の内部に収納可能なフレーム集合体２２０と、を有している。
【００３１】
門形状のフレーム２２１は、例えばアルミニウム合金製の平角管を用いて形成される。フレーム２２１は、ここでは、水平部２２４及び一対の鉛直部２２５（図４参照）を構成する３つの平角管を接続部材２２６（図４参照）を介してねじ締結等により接続して門形状に形成されている。但し、フレーム２２１は、平角管を曲げ加工して形成されてもよい。空間２２２（図４（ｂ）参照）は、ＭＲＩ装置１００及びベッド（図示せず）を収納するための収納部位である。
【００３２】
Ｘ字状連結機構２３０は、一対のリンク部材２３１，２３２を中央部においてＸ字状に交差させると共に、その交差部を中央ピン２３３で軸支し、一対のＸ字状のリンク部材２３１，２３２を端部において上部ピン２３４及び下部ピン２３５で複数組連結することにより、前後方向へ伸縮自在に構成されている。そして、上部ピン２３４は、フレーム２２１の外側面に固定された凹溝部材２３６内に固定されており、一方、下部ピン２３５は、凹溝部材２３６内に上下方向に摺動可能に係合されている。なお、下部ピン２３５を凹溝部材２３６内に固定し、上部ピン２３４を凹溝部材２３６内に摺動可能に係合してもよい。凹溝部材２３６の素材として、例えばアルミニウム合金製の型材が使用される。
【００３３】
複数のフレーム２２１の下部には、当該下部の下端面に床面３１０に敷設された導電性床板３２０（導電性床材）に当接する後記の導電性部材２２８（図１３（ｂ）、（ｄ）参照）がそれぞれ配置され、当該下部の外側側面にそれぞれキャスタ２２３が取り付けられ、この下部の内側側面に後記する巻込み防止スライドパイプ２７１等が取り付けられている。
キャスタ２２３は、車輪２２３ａと、車輪２２３ａを回転可能に支持する支持部材２２３ｂとを備えており（図４（ａ）参照）、支持部材２２３ｂがフレーム２２１の下部の外側面にねじ締結等により固定される。
【００３４】
また、複数のフレーム２２１のうちの伸展端側（最前方側）のフレーム２２１には、フレーム集合体２２０を伸縮させる際に術者等の操作者が掴持するための取っ手２３７が、左右に一対取り付けられている。一方、最後方側のフレーム２２１は、図示しない規制手段により移動が規制されている。
【００３５】
電磁シールド構造２００のフレーム集合体２２０に、フレーム集合体２２０が伸縮する際に当該フレーム集合体２２０の蛇行を抑制する後記の蛇行抑制機構２６０が取り付けられている。
【００３６】
また、電磁シールド構造２００は、複数のフレーム２２１内の空間２２２側に取り付けられ、可撓性及び透光性を有するシート状の電磁シールド部材２５０を有している。電磁シールド部材２５０は、ＭＲＩ撮影を行う際の外部からの電磁波（ノイズ）を除去する役目と、ＭＲＩ装置１００から発生する電磁波が電磁シールド構造２００外に漏洩してその周辺の周辺機器（図示せず）や人員等に影響を及ぼすのを防ぐ役目とを担っている。
【００３７】
電磁シールド部材２５０の材料としては、例えば網状の繊維に銀等の非磁性体の導電材料をコーティングした透過シールド素材が使用され得る。図５及び図６（ａ）、（ｂ）に示すように、電磁シールド部材２５０の下端は、導電性床板３２０上に接触するように、電磁シールド部材２５０と導電性床板３２０との導通を良好にするための床面接触部材２５７、及び、電磁シールド部材２５０を導電性床板３２０に押し付けるための錘２５８とが設けられて、電磁波のシールド性と、導電性床板３２０（導電性床材）との接触性とを確保できるようになっている。
【００３８】
図２〜図５に示すように、電磁シールド部材２５０は、複数のフレーム２２１の内側にトンネル状に取り付けられるトンネル状シールドカーテン２５１（図２参照）と、複数のフレーム２２１のうちの最前方側のフレーム２２１の開放面を開放可能に閉止するための前面シールドカーテン２５２（図４（ａ）参照）と、を備えて、フレーム集合体２２０内に略蚊帳状（略テント状）に吊設されている。
【００３９】
トンネル状シールドカーテン２５１は、例えば、各フレーム２２１の水平部２２４の下側全体に所定間隔を介して固定された取付金具（図示せず）に紐等で結び付けることによって取り付けられる。一方、前面シールドカーテン２５２は、この前面シールドカーテン２５２の上端部に連結されるフック（図示せず）が、複数のフレーム２２１のうちの最前方側のフレーム２２１の上側に位置する水平部２２４（図４（ａ）参照）の下面に固定されたカーテンレール（図示せず）に沿って水平方向に摺動可能に取り付けられることによって、電磁シールド部材２５０の前面部に開閉自在に配置されている。
【００４０】
図５は、トンネル状シールドカーテンの概略斜視図である。図６は、トンネル状シールドカーテンの下側端部の構造を示す図であり、（ａ）は要部拡大概略、（ｂ）は（ａ）のＡ−Ａ線に沿う断面図である。
図５に示すように、トンネル状シールドカーテン２５１は、空間２２２（図４（ｂ）参照）の上面及び側面に位置する覆い部２５３と、空間２２２の前面に位置する下方に開口したコの字状の補助部２５４と、トンネル状シールドカーテン２５１の周縁部に内設された錘２５８（図６参照）と、トンネル状シールドカーテン２５１の周縁部の下面に取り付けられた床面接触部材２５７と、から構成されている。補助部２５４は、前面シールドカーテン２５２（図４（ａ）参照）の上部及び左右両側部と重なるように形成されることによって、トンネル状シールドカーテン２５１と前面シールドカーテン２５２との隙間を埋めてシールド性を高める機能を有している。
【００４１】
図６（ａ）、（ｂ）に示すように、前記錘２５８は、トンネル状シールドカーテン２５１の周縁部と、前面シールドカーテン２５２（図４（ａ）参照）の下側周縁部との折り返し部分をそれぞれ二列に袋状に縫製された袋状部位２５１ａにそれぞれ内設された一対の非磁性体の金属製鎖からなる。なお、錘２５８は、例えば、屈曲変形可能なゴム製や樹脂製の棒状部材等であっても構わない。
【００４２】
前記床面接触部材２５７は、トンネル状シールドカーテン２５１の周縁部下面と、前面シールドカーテン２５２の下側周縁部下面とにそれぞれ設けられた帯状の導電性の高い薄板材からなる。床面接触部材２５７は、導電性床板３２０（導電性床材）と、これに接触するトンネル状シールドカーテン２５１及び前面シールドカーテン２５２接触面との導電性を良好にするための部材であり、弾性変形可能な導電性ゴム部材や導電性樹脂等からなる。
【００４３】
図７は、電磁シールド体の概略斜視図である。
図７に示すように、電磁シールド体２１０は、例えばアルミニウム合金板等の非磁性体の導電材料から形成されており、門形状を呈している。電磁シールド体２１０の側面には、ＭＲＩ装置１００を用いて診断される患者の状態を観察し得る全面が開放された観察窓２１１が設けられている。このような構成によれば、診断中の患者の視認性が増すため、例えば患者の被撮像部位がずれていないか、患者モニタ用ケーブル（図示せず）が患者から外れていないか等、患者の状態を外から十分に観察しながら、ＭＲＩ装置１００を用いた良好な撮影が可能となる。観察窓２１１は、電磁シールド体２１０の左右両方の側面に開設されることが左右両方から観察できる観点から好ましい。但し、観察窓２１１は、電磁シールド体２１０の左右いずれかの側面に形成されていてもよい。
【００４４】
電磁シールド体２１０の下端には、一対の帯板部材２１２が固定されている。一対の帯板部材２１２は、フレーム集合体２２０が収縮されて電磁シールド体２１０内に収納されるとき、及びフレーム集合体２２０が収縮状態から伸展されて電磁シールド体２１０内から外に出されるときに、帯板部材２１２の内側面によってキャスタ２２３（図４（ａ）、（ｂ）参照）の移動をガイドする。
【００４５】
図８は、フレーム集合体に取り付けられた蛇行抑制機構の伸展状態を示す図であり、（ａ）は平面図、（ｂ）は側面図である。図９は、フレーム集合体に取り付けられた蛇行抑制機構の収縮状態を示す図であり、（ａ）は平面図、（ｂ）は側面図である。なお、図８（ａ）及び図９（ａ）では、フレーム集合体２２０のうちフレーム２２１の水平部２２４以外の部材は、理解を容易にするため図示省略している。図１０は、蛇行抑制機構のアームの固定方法を説明するための平面図であり、（ａ）はアームが固定板を介して固定された状態を示す平面図、（ｂ）は固定板の平面図である。図１１は、アームがガードローラに移動可能に係合される様子を示す図であり、（ａ）は（ｂ）のＢ−Ｂ線に沿う横断面図、（ｂ）は（ａ）のＣ−Ｃ線に沿う縦断面図である。なお、図１１（ａ）では、図面の上下方向がフレーム集合体２２０の伸縮方向となっている。
【００４６】
図８及び図９に示すように、蛇行抑制機構２６０は、フレーム２２１の水平部２２４の上部に取り付けられた複数のガイドローラ（ガイド部材）２６１（図１１（ａ）、（ｂ）参照）と、複数のガイドローラ２６１の一部とフレーム集合体２２０の伸縮方向に移動可能にそれぞれ係合される複数のアーム２６２と、を備えている。これらの複数のアーム２６２は、フレーム集合体２２０の伸縮方向（前後方向）に沿って延在すると共に、前記伸縮方向と直交する水平方向（左右方向）に隣接して並んで配置される。
【００４７】
各アーム２６２は、そのアーム２６２がガイドされるガイドローラ２６１が取り付けられたフレーム２２１と隣接するフレーム２２１に、固定板２６３を介して固定されている。但し、蛇行抑制機構２６０が伸展状態（図８（ａ）参照）にあるときに伸縮方向（前後方向）中央に位置するアーム２６２は、複数のフレーム２２１のうちの中央寄りに位置する２つのフレーム２２１の上部に取り付けられた複数のガイドローラ２６１に係合されていて、フレーム２２１には固定されていない。これにより、蛇行抑制機構２６０が収縮状態（図９（ａ）参照）にあるときに、全てのアーム２６２の伸縮方向の端部位置を一部突出すること無く揃えることが可能となる。なお、蛇行抑制機構２６０が伸展状態にあるときに伸縮方向（前後方向）中央に位置するアーム２６２の両端には、アーム２６２がガイドローラ２６１から脱落することを防止するためのストッパ板２６５が設けられている。
【００４８】
図１０に示すように、アーム２６２は、より具体的には、固定板２６３を介してベース板２６４上にねじ締結等により固定されており、ベース板２６４がフレーム２２１の水平部２２４上にねじ締結等により固定されている。なお、図１０（ａ）において、ねじ締結部は図示省略している。図１０（ｂ）中の符号２６３ａは、固定板２６３に形成されたねじ締結用の孔を示す。
【００４９】
図１１に示すように、アーム２６２の素材として、例えばアルミニウム合金製（導電性部材）のＣ型チャンネルが使用される。図１１に示すアーム２６２の断面形状における開口端部２６２ａが、ガイドローラ２６１の溝２６１ａ内に係合される。これにより、アーム２６２は、フレーム集合体２２０の伸縮方向に移動可能となっている。
【００５０】
ガイドローラ２６１は、より具体的には、フレーム２２１の水平部２２４上に固定されたベース板２６４上に、ねじ部材２６６により回転自在に取り付けられている。なお、水平部２２４上には、ねじ部材２６６による締結用の部品との干渉を避けるための逃げ孔（図示せず）が形成される。
【００５１】
このように、複数のアーム２６２は、フレーム集合体２２０の収縮時に隣り合う２つのアーム２６２の両側面が互いに対向するように並んで収縮し（図９参照）、フレーム集合体２２０の伸展時に部分的にずれるように移動して伸展する（図８参照）構成となっている。
【００５２】
また、図４（ｂ）に示すように、電磁シールド構造２００は、フレーム集合体２２０の下部に設けられたキャスタ２２３の内側に位置されてフレーム集合体２２０に取り付けられ、電磁シールド部材２５０のトンネル状シールドカーテン２５１がキャスタ２２３に巻き込まれることを防止するための巻込み防止機構２７０（図１２参照）をさらに有している。
【００５３】
図１２は、フレーム集合体に取り付けられた巻込み防止機構のフレーム内側から見た側面図であり、（ａ）は伸展状態を示し、（ｂ）は収縮状態を示す。
図１２（ａ）、（ｂ）に示すように、巻込み防止機構２７０は、巻込み防止スライドパイプ２７１と、巻込み防止板２７２とを備えており、アルミニウム合金等の非磁性体の導電材料から形成されている。巻込み防止機構２７０は、各フレーム２２１の内側に配置された電磁シールド部材２５０の下端部が、フレーム２２１の内側面よりも外側方向へ移動するのを規制する防止装置であり、各フレーム２２１の内側面の下端部に設置されている（図１４（ａ）参照）。
【００５４】
巻込み防止スライドパイプ２７１は、径の異なる複数のパイプが入れ子式（振り出し式ともいう）に組み合わされて構成された伸縮可能なパイプであり、電磁シールド部材２５０のトンネル状シールドカーテン２５１とキャスタ２２３との間に介在する（図１４（ａ）参照）。また、巻込み防止板２７２は、略矩形状の板であり、トンネル状シールドカーテン２５１とキャスタ２２３との間に介在する（図１４（ａ）参照）。なお、図１４（ａ）では巻込み防止スライドパイプ２７１の取付け用部材を図示省略している。
【００５５】
図１２（ａ）、（ｂ）に示すように、巻込み防止スライドパイプ２７１の前端部及び後端部は、最前方側及び最後方側のフレーム２２１にそれぞれ固定されている。巻込み防止板２７２は、フレーム集合体２２０の伸縮方向（前後方向）中央寄りのフレーム２２１に固定される中央側巻込み防止板２７２ａ（図１４（ｃ）参照）と、前後方向両端のフレーム２２１に固定される端部側巻込み防止板２７２ｂ（図１４（ｄ）参照）と、を備えている。
【００５６】
図１３は、巻込み防止機構及び導電性部材の設置状態を示す拡大図であり、（ａ）は図１２（ａ）のＤ部の拡大図、（ｂ）は（ａ）のＦ方向（後方）から見た図、（ｃ）は（ａ）の上から見た図、（ｄ）は図１２（ａ）のＥ−Ｅ線に沿う断面図である。図１４は、フレームに取り付けられた巻込み防止板及び導電性部材の設置状態を示す図であり、（ａ）は後方から見た図、（ｂ）は導電性部材の斜視図、（ｃ）は中央側巻込み防止板の側面図、（ｄ）は端部側巻込み防止板の側面図である。但し、理解を容易にするため、図１４（ｂ）、（ｃ）では巻込み防止スライドパイプ２７１、その取付け用部材、及び、キャスタ２２３を図示省略している。また、図１３及び図１４における内外で示す矢印は、それぞれ門形状のフレーム２２１の内側方向、外側方向を示す（図１９でも同様）。
【００５７】
図１３（ａ）〜（ｃ）に示すように、巻込み防止スライドパイプ２７１の軸方向（前後方向）両端に、平面視してＬ字状の取付け用ブラケット２７３がねじ部材２７４により固定されてなる。この取付け用ブラケット２７３は、端部側巻込み防止板２７２ｂを間に挟んでフレーム２２１の下部の内側面にねじ部材２７５により固定されている。
また、図１３（ｄ）に示すように、巻込み防止スライドパイプ２７１の中央寄りの部分は、中央側巻込み防止板２７２ａに固定されたＵボルト２７６の内側に受け入れられて抱持されている。
【００５８】
図１４（ａ）〜（ｄ）に示すように、巻込み防止板２７２（２７２ａ，２７２ｂ）には長孔２７２ｃが形成されている。巻込み防止板２７２は、ねじ部材２７５を長孔２７２ｃに挿通させてフレーム２２１の下部の内側面に形成された図示しないねじ孔にねじ込むことにより、フレーム２２１に固定される。長孔２７２ｃは上下方向に長く形成されているため、巻込み防止板２７２の上下方向位置を、電磁シールド部材２５０のトンネル状シールドカーテン２５１がキャスタ２２３に巻き込まれない位置に高さを調整することが可能となっている。また、巻込み防止板２７２の前後方向の長さは、トンネル状シールドカーテン２５１の外側への移動を確実に阻止する観点から、フレーム２２１の幅（前後方向の長さ）よりも大きく設定されている。
【００５９】
図１４（ａ）に示すように、このような巻込み防止機構２７０によれば、電磁シールド部材２５０（図５参照）のトンネル状シールドカーテン２５１は、下端部から上方に寄った部位が、フレーム２２１の鉛直部２２５の空間側の側面にカーテン支持板材２７７をねじ止めすることによって保持されている。トンネル状シールドカーテン２５１において、このカーテン支持板材２７７がある部位よりも下端側は、巻込み防止機構２７０によって巻込み防止板２７２よりも、導電性部材２２８やキャスタ２２３がある外側方向へ出ないように規制される。
これにより、トンネル状シールドカーテン２５１がキャスタ２２３や導電性部材２２８に巻き込まれて、フレーム集合体２２０を伸縮させる操作が困難あるいは不可能となったり、電磁シールド性に支障をきたしたりするという事態を防止できる。
【００６０】
図１３（ａ）〜（ｄ）、図１４（ａ）〜（ｄ）に示す前記導電性部材２２８は、各フレーム２２１の下端面２２１ｂと導電性床板３２０（導電性床材）との間に介在されて、両者を電気的に接続する部材であり、例えば、上下方向に対してばね性を有する導電性の板ばね部材からなる。この導電性部材２２８は、フィンガーとも言われる部材であり、例えば、銅合金、非磁性ステンレス鋼等の導電性の良好な非磁性金属製部材や、導電性ゴム材や、導電性ゴム部材等であっても構わない。
【００６１】
この導電性部材２２８は、略湾曲形状に形成されて導電性床板３２０に接触する摺接部２２８ａと、この摺接部２２８ａの両端部を対向する方向に水平に折曲形成してフレーム２２１の下端面２２１ｂに当接する当接部２２８ｂ，２２８ｂと、左右の当接部２２８ｂ，２２８ｂ間に形成された切欠部２２８ｃ（図１４（ｂ）参照）と、を有する非磁性の金属製板部材からなる。導電性部材２２８は、例えば、各フレーム２２１の下端面２２１ｂに、設定された適宜な間隔を介して配置された４つの部材からなる。
このように、フレーム２２１と導電性床材３２０との間に導電性部材２２８を介在して両者を電気的に接続したことにより、常に、フレーム２２１の下端面２２１ｂが導電性床材３２０と導通した状態であるため、従来のシールドカーテンのみで導電性床材３２０に電気的に接続していた場合と比較して、電気的接続の安定性及び電磁シールド性を向上させることができる。導電性部材２２８は、導電性床板３２０との接触箇所に複数設置されているため、導電性床板３２０の表面が凸凹していても、それぞれの導電性部材２２８が弾性変形してガタツキを吸収して、接触した状態を維持することができる。
【００６２】
また、電磁シールド構造２００は、ＭＲＩ装置１００を用いて診断される患者の状態をモニタする患者モニタ用ケーブルや酸素供給用チューブ等のチューブ状部材３４０（図１６（ｂ）参照）が電磁シールド部材２５０の内側から外側に引き出される境界部分を筒状に包囲して電磁シールドするための筒状シールド部材２５５（図１５（ａ）参照）をさらに有している。
【００６３】
図１５は、筒状シールド部材の概略斜視図であり、（ａ）は本実施形態を示し、（ｂ）は変形例を示す。図１６は、筒状シールド部材の使用方法を説明するための図であり、（ａ）は筒状シールド部材を使用する前の最前方側のフレームの開放面を部分的に示す概略斜視図、（ｂ）は筒状シールド部材の使用状態を示す概略斜視図である。図１７は、筒状シールド部材を支持する第２フックの一例を示す図であり、（ａ）は、第２フックの設置状態を示すフレームの斜視図、（ｂ）は、フレームから第２フックを引出したときの状態を示す斜視図、（ｃ）は筒状シールド部材を第２フックで支持しているときの状態を示す斜視図である。
【００６４】
図１５（ａ）に示すように、筒状シールド部材２５５は、展開状態において略矩形形状を呈するシート状部２５５ａと、シート状部２５５ａの適宜の箇所に設けられた面ファスナ２５５ｂ（ベルクロともいう）とを有している。シート状部２５５ａの材料としては、例えば電磁シールド部材２５０と同じ材料が使用され得る。筒状シールド部材２５５の使用時に、展開状態のシート状部２５５ａは、チューブ状部材３４０の周囲を巻くようにして筒状に形成され、面ファスナ２５５ｂにより結束されて筒状に保持される。
【００６５】
なお、図１５（ｂ）に示すように、軸方向のヒンジライン２５６ｃに沿って開閉自在に結合された一対の半割れ円筒２５６ａ，２５６ｂを備え、最前方側のフレーム２２１の内側面にねじ締結等により固定される筒状シールド部材２５６が使用されてもよい。筒状シールド部材２５６の中には、電磁波をカットするためのフェライトコア（図示せず）が配置される。使用の際には、開閉式の筒状シールド部材２５６を開き、チューブ状部材３４０を入れてから閉じる。筒状シールド部材２５６は、一つのチューブ状部材３４０が挿通される内径を有するように形成されてもよいし、複数のチューブ状部材３４０が挿通可能な内径に形成されてもよい。
【００６６】
図１６（ａ）に示すように、最前方側のフレーム２２１の内側面には、筒状シールド部材２５５を引っ掛けて保持するためのフック２２７が、左右に一対で取り付けられている（図４参照）。また、最前方側のフレーム２２１の外側面には、面ファスナの構成部品である第１面部２５２ａが、左右に一対で取り付けられている（左側は図示せず）。
【００６７】
図１６（ｂ）に示すように、前面シールドカーテン２５２の背面側（後側）の左右両側端部には、第１面部２５２ａに押し付けられると貼着可能であり面ファスナの構成部品である第２面部２５２ｂが複数設置されている。
【００６８】
チューブ状部材３４０を筒状に包囲した筒状シールド部材２５５がフック２２７に引っ掛けられて保持されると、トンネル状シールドカーテン２５１のコの字状の補助部２５４が、筒状シールド部材２５５によって外側に押し潰されるようにして筒状シールド部材２５５の周囲に接触する。それから、前面シールドカーテン２５２が閉じられて最前方側のフレーム２２１の開放面が閉止される。このとき、術者等の操作者が前面シールドカーテン２５２の側端部を、筒状シールド部材２５５に巻き付けるようにして丸く形成することにより、筒状シールド部材２５５の周囲に接触させる。この状態で術者等の操作者が前面シールドカーテン２５２の内側に設置された第２面部２５２ｂを最前方側のフレーム２２１の外側面に設置された第１面部２５２ａに押し付けて貼着させることによって、前面シールドカーテン２５２の閉止状態が確実になると共に、前面シールドカーテン２５２の側端部が筒状シールド部材２５５の周囲に接触した状態に保たれる。なお、チューブ状部材３４０を筒状に包囲した筒状シールド部材２５５は、左右一対のフック２２７のいずれに保持されてもよい。
【００６９】
図１７（ａ）〜（ｃ）に示すように、前記した最前方側のフレーム２２１よりも後方側に配置された各フレーム２２１の内側面側には、チューブ状部材３４０を包んだ筒状シールド部材２５５を掛止する第２フック２２７Ａが回動自在にそれぞれ取り付けられている。第２フック２２７Ａは、例えば、前後方向から見て略Ｌ字状に折曲された板部材からなり、フレーム２２１の内側面側に穿設された上下方向に長い矩形のフック設置孔２２１ａに、このフック設置孔２２１ａの下縁部を中心として回動可能に出し入れ自在に軸支されている。第２フック２２７Ａは、下端部に設けられフック設置孔２２１ａの下縁部に傾動自在に軸支された軸支部２２７Ａａと、上端部に形成されてＬ字状に折曲形成された掛止部２２７Ａｂと、を有している。
【００７０】
この第２フック２２７Ａは、使用しない場合、図１７（ａ）に示すように、フレーム２２１の内側面と面一にフック設置孔２２１ａに合致させておく。第２フック２２７Ａを使用する場合は、図１７（ｂ）に示すように、フレーム２２１から第２フック２２７Ａを傾動させて引出して、図１７（ｃ）に示すように、第２フック２２７Ａに筒状シールド部材２５５を掛止する。
【００７１】
このようにして筒状シールド部材２５５を掛止することにより、チューブ状部材３４０が挿通する開口を介して電磁波が電磁シールド部材２５０の内側に入ることや、チューブ状部材３４０自体を通して電磁波が電磁シールド部材２５０の内側に入ることを防止できる。ここで、電磁シールド部材２５０を筒状シールド部材２５５の全周に接触させることができると共に、チューブ状部材３４０の延在方向における筒状シールド部材２５５の全長を長くできるため、電磁波の出入りをより確実に防止できる。したがって、電磁シールド部材２５０の内側から外側に引き出されるチューブ状部材３４０を、電磁シールド構造２００のシールド性を損なわずに電磁シールド部材２５０の外側に設置された患者モニタ用機器等の各種機器（図示せず）に接続することができる。これにより、ＭＲＩ装置１００を用いた良好な撮影が可能となる。
【００７２】
図１８は、電磁シールド構造における第１プランジャ機構の設置場所を説明するための側面図である。図１９は、第１プランジャ機構の詳細を示す一部を切り欠いた拡大図であり、（ａ）は側面図、（ｂ）は（ａ）のＧ−Ｇ線に沿う断面図である。
【００７３】
また、図１８に示すように、電磁シールド構造２００は、フレーム集合体２２０の伸展方向の端部の位置ＬがＭＲＩ装置１００（図１参照）により発生する磁場の強度が所定の磁束密度にあることを報知するための報知手段としての第１プランジャ機構２８０（図１９（ａ）参照）をさらに有している。
【００７４】
所定の磁束密度は、ここでは、ＷＨＯ（世界保健機関）の「５ガウス以下ではいかなる生物学的影響も認められない」との知見に基づいて、５Ｇ（ガウス）（０．５ｍＴ）に設定されている。また、ＭＲＩ装置のＪＩＳ個別規格では、立ち入り制限区域として、５Ｇ（ガウス）（０．５ｍＴ）が定義されている。但し、所定の磁束密度は、前記値に限定されるものではなく、例えば信頼できる別の基準に基づいて適宜設定され得る。
【００７５】
第１プランジャ機構２８０は、前から数えて３番目及び５番目のフレーム２２１の外側面に固定された凹溝部材２３６にそれぞれ設置されている。但し、第１プランジャ機構２８０は、他のフレーム２２１の凹溝部材２３６に設けられてもよいし、設置個数も任意に設定可能である。
【００７６】
図１９（ａ）に示すように、第１プランジャ機構２８０は、ナット２８２により凹溝部材２３６の前後の少なくとも一方の面（図１７では後面）に固定された一対のボールプランジャ２８３を備えている。ボールプランジャ２８３は、外面にねじ溝が形成された筒状体内の開口先端部に配置されたボール２８３ａを筒状体内のばね部材で先端側に付勢した構造のものである。このボールプランジャ２８３は、先端が凹溝部材２３６の内壁面から突出するように配置されている。
【００７７】
一方、図１９（ｂ）に示すように、リンク部材２３１，２３２を連結する下部ピン２３５は、リンク部材２３１，２３２にそれぞれ形成された貫通孔（図示せず）に挿通される軸部２３５ｂと、軸部２３５ｂの先端側に設けられリンク部材２３１，２３２の外側への抜けを防止するヘッド部２３５ａと、軸部２３５ｂの基端側に設けられ凹溝部材２３６内に上下方向に摺動可能に係合される円柱部材２３５ｃとを有している。
【００７８】
フレーム集合体２２０の伸縮にともなって下部ピン２３５が上下方向に移動し、下部ピン２３５の円柱部材２３５ｃが一対のボールプランジャ２８３の一方の先端に当接すると、このボールプランジャ２８３のボール２８３ａがばね部材の付勢力に抗して後退する。このときフレーム集合体２２０を伸縮させる操作が適度に重くなる。円柱部材２３５ｃが一方のボールプランジャ２８３のボール２８３ａを乗り越えると、円柱部材２３５ｃは一対のボールプランジャ２８３の先端部に配置された一対のボール２８３ａの間に位置される。
【００７９】
この状態でフレーム集合体２２０を伸縮させようとすると、一対のボールプランジャ２８３により下部ピン２３５の移動に抗する抵抗力が働き、フレーム集合体２２０を伸縮させる操作が適度に重くなるくため、フレーム集合体２２０が所定長さに伸展された状態で保持されることになる。本実施形態では、この状態においてフレーム集合体２２０の伸展方向の端部の位置Ｌが５Ｇラインとなるように、第１プランジャ機構２８０の上下方向の設置位置が設定されている。なお、下部ピン２３５を凹溝部材２３６内に固定し、上部ピン２３４を凹溝部材２３６内に摺動可能に係合した場合には、上部ピン２３４の移動に抗する抵抗力が働くように第１プランジャ機構２８０の上下方向の設置位置が設定されることは言うまでもない。
【００８０】
また、電磁シールド構造２００は、フレーム集合体２２０の伸展方向の端部の位置Ｌが最大伸展位置にある（フレーム集合体２２０が最大伸展状態にある）ことを報知するための第２プランジャ機構２８１（図１８参照）をさらに有している。
なお、電磁シールド体２１０について、電磁シールド部材の素材自体の性能が低い場合には、金属製の電磁シールド体を設けることでシールド性能を補助しているが、電磁シールド体はなくてもよい。
【００８１】
以上、本発明について、実施形態に基づいて説明したが、本発明は、前記実施形態に記載した構成に限定されるものではなく、前記実施形態に記載した構成を適宜組み合わせ乃至選択することを含め、その趣旨を逸脱しない範囲において適宜その構成を変更することができるものである。なお、既に説明した構成は同じ符号を付してその説明を省略する。
【００８２】
［第１変形例］
図２０は、フレームに取り付けられた巻込み防止板及び導電性部材の第１変形例を示す図であり、（ａ）は後方から見た図、（ｂ）は中央側巻込み防止板の側面図である。
前記実施形態では、導電性部材２２８の一例として、図１４（ａ）に示すように、フレーム２２１の下端面と、床面３１０に敷設された導電性床板３２０（導電性床材）との間に直接介在した場合を説明したが、これに限定されるものではない。
例えば、導電性部材２２８は、図２０（ａ）、（ｂ）に示すように、この導電性部材２２８と、フレーム２２１の下端面２２１ｂとの間にトンネル状シールドカーテン２５１を保持するカーテン支持板材２７７Ａを介在しても構わない。
【００８３】
この場合、カーテン支持板材２７７Ａは、例えば、非磁性の導電性金属製平板材を折曲加工したものからなり、それぞれ後記する介在部２７７Ａａと、固定部２７７Ａｂと、突出部２７７Ａｃと、カーテン保持部２７７Ａｄと、カーテン抑板材２７７Ａｅと、を有して構成されている。
【００８４】
介在部２７７Ａａは、カーテン支持板材２７７Ａの下端部を水平に折曲された部位であり、導電性部材２２８とフレーム２２１の下端面２２１ｂとの間に水平に介在されている。介在部２７７Ａａは、導電性の両面テープ等よってフレーム２２１の下端面２２１ｂに固定されている。
固定部２７７Ａｂは、その介在部２７７Ａａに対して上方向へ垂直に折曲されて、フレーム２２１の内側側面にねじ止めされる部位である。この固定部２７７Ａｂの空間２２２側には、前記実施形態で説明した巻込み防止板２７２がねじ止めされている。
【００８５】
突出部２７７Ａｃは、その固定部２７７Ａｂからフレーム２２１の内部側に水平に折曲された部位である。突出部２７７Ａｃは、カーテン支持板材２７７Ａが突出部２７７Ａｃの長さ分だけフレーム２２１から内側方向へ突出していることによって、トンネル状シールドカーテン２５１をフレーム２２１の鉛直部２２５から離間した位置に垂下状態に配置することができるため、トンネル状シールドカーテン２５１の巻込み防止効果がある。
【００８６】
カーテン保持部２７７Ａｄは、その突出部２７７Ａｃから下方向に向けて折曲された部位であり、トンネル状シールドカーテン２５１を介在してカーテン抑板材２７７Ａｅが固定される。
カーテン抑板材２７７Ａｅは、カーテン保持部２７７Ａｄに対向して配置されてねじ止めされる板部材である。
【００８７】
［第２変形例］
図２１は、（ａ）が導電性部材の第２変形例を示す要部拡大概略断面図であり、（ｂ）が導電性部材のその他の変形例を示す要部拡大概略断面図である。
また、前記実施形態で説明した接続部材２２６は、図２１（ａ）に示す導電性部材２２８Ｂのように、フレーム２２１の下端面２２１ｂに設けた接続部材２２６Ｂに固定したカバー２２９の内部に収納したものであっても構わない。
【００８８】
この場合、中空状のフレーム２２１の下端面２２１ｂには、接続部材２２６Ｂがねじ部材２７５によって固定される。その接続部材２２６Ｂの下には、複数の導電性部材２２８Ｂを上下方向に弾性変形可能に収納したカバー２２９が固定されている。カバー２２９は、下面を摺動面とするボックス形状の部材であり、上面に形成された開口２２９ａを有する。カバー２２９は、ベリリウム銅などの導電製の良好な金属によって中空状に形成された箱型の収納ケースであり、導電性床板３２０との接触面積を増加させて導通性を向上させることができると共に、摺動に対する耐久性も向上させることができる。
【００８９】
導電性部材２２８Ｂは、前記実施形態で説明した導電性部材２２８と同様、上下方向にばね性有する大略Ｃ字形状の金属製板部材からなる。この導電性部材２２８Ｂは、上面が接続部材２２６Ｂの下面に圧接し、下面が導電性床板３２０（導電性床材）に圧接した状態に配置されて、アースの状態を維持すると共に、床面３１０の凹凸による浮き上がり等の変動に対応できるように、カバー２２９の開口２２９ａ内に挿入されている。
【００９０】
このように、例えば、４個の導電性部材２２８Ｂは、カバー２２９に所定間隔でそれぞれ内設したことにより、各導電性部材２２８Ｂがフレーム２２１と共に移動しても、水平方向の動きが支持孔２２９ｂによって規制されてカバー２２９やフレーム２２１が一体的の動くようになる。このため、導電性部材２２８Ｂが摺動中にカバー２２９から離脱するのを防止して、アースの電気的接続の信頼性を向上させることができる。
【００９１】
また、前記カバー２２９は、図２１（ｂ）に示すように、上面に前記支持孔２２９ｂがなく、下側だけ開口２２９Ｂａを有するカバー２２９Ｂであっても構わない。このカバー２２９Ｂは、導電性の両面テープＴ等によってフレーム２２１に下端面２２１ｂに導通した状態に固定される。
【００９２】
［第３変形例］
図２２は、フレームに取り付けられた巻込み防止板及び導電性部材の第３変形例を示す図であり、（ａ）は後方から見た図、（ｂ）は端部側巻込み防止板の側面図である。
前記導電性部材２２８は、図２２（ａ）に示すように、上下方向にばね性を有する非磁性体製のばね部材からなる導電性部材２２８Ｃであっても構わない。
この場合、導電性部材２２８Ｃは、例えば、圧縮コイルばねからなり、上端部がフレーム２２１の下端面２２１ｂに当接し、下端部が巻込み防止板２７２Ｃと一体の受部２７２Ｃａを介して導電性床板３２０（導電性床材）に接触している。
このように、導電性部材２２８Ｃは、導電性及びばね性を有するものであれば、適宜に形状を変更しても構わない。
【００９３】
また、巻込み防止板２７２Ｃには、図２２（ａ）、（ｂ）に示すように、トンネル状シールドカーテン２５１の巻込み防止の役目と、トンネル状シールドカーテン２５１の下方部位を保持する役目とを果たす。巻込み防止板２７２Ｃには、この巻込み防止板２７２Ｃをフレーム２２１に固定するねじ部材２７５Ｃに対して、巻込み防止板２７２Ｃを上下方向に位置調整可能にする長孔２７２Ｃｃと、前記受部２７２Ｃａと、を有する正面視してＬ字状の厚板部材からなる。
【００９４】
巻込み防止板２７２Ｃは、フレーム集合体２２０を伸縮移動させる場合、ねじ部材２７５Ｃを緩めて巻込み防止板２７２Ｃを上昇させれば、移動させ易くなり、フレーム集合体２２０を伸ばした状態で安定化させた場合、巻込み防止板２７２Ｃを下降させて導電性床板３２０（導電性床材）に圧接させればよい。
【００９５】
［その他の変形例］
また、前記実施形態では、電磁シールド構造２００は、オープン型のＭＲＩ装置に適用
されているが、トンネル型のＭＲＩ装置にも適用可能である。また、電磁シールド構造２００の設置場所は、脳外科手術室に限定されるものではなく、他の手術室、ＭＲＩ室等の各種の場所であってもよい。
【符号の説明】
【００９６】
１００    ＭＲＩ装置（磁気共鳴イメージング装置）
２００    電磁シールド構造
２１０    電磁シールド体
２２０    フレーム集合体
２２１    フレーム
２２８    導電性部材
２２９    カバー
２５０    電磁シールド部材
２７０    巻込み防止機構
２７２    巻込み防止板
３１０    床面
３２０    導電性床材
【図１】
2013004821.tif 000003
【図２】
2013004821.tif 000004
【図３】
2013004821.tif 000005
【図４】
2013004821.tif 000006
【図５】
2013004821.tif 000007
【図６】
2013004821.tif 000008
【図７】
2013004821.tif 000009
【図８】
2013004821.tif 000010
【図９】
2013004821.tif 000011
【図１０】
2013004821.tif 000012
【図１１】
2013004821.tif 000013
【図１２】
2013004821.tif 000014
【図１３】
2013004821.tif 000015
【図１４】
2013004821.tif 000016
【図１５】
2013004821.tif 000017
【図１６】
2013004821.tif 000018
【図１７】
2013004821.tif 000019
【図１８】
2013004821.tif 000020
【図１９】
2013004821.tif 000021
【図２０】
2013004821.tif 000022
【図２１】
2013004821.tif 000023
【図２２】
2013004821.tif 000024